(57)【要約】【課題】既設の壁埋め込み型の電気コンセントに簡単に後付けでき、既設の電気コンセントとの連結部においてトラッキング現象が発生し難いコンセントユニットを提供する。【解決手段】コンセントユニット１は、既設の電気コンセント４０の差込口に差し込まれるプラグ端子２１を有するプラグ部２０と、プラグ端子２１と電気的に接続されるとともに、外部から差し込まれるプラグの栓刃を挟持する刃受部１２を有するコンセント部１０と、プラグ部２０及びコンセント部１０を収容保持するとともに、壁Ｗに固定配置可能に設けられる収容部３０と、を備える。【選択図】図６
2013214488.tif 000002
【特許請求の範囲】
【請求項１】
壁に埋め込み配置された電気コンセントに後付けされるコンセントユニットであって、
前記電気コンセントの差込口に差し込まれるプラグ端子を有するプラグ部と、
前記プラグ端子と電気的に接続されるとともに、外部から差し込まれるプラグの栓刃を挟持する刃受部を有するコンセント部と、
前記プラグ部及び前記コンセント部を収容保持するとともに、前記壁に固定配置可能に設けられる収容部と、
を備えることを特徴とするコンセントユニット。
【請求項２】
前記プラグ端子が前記電気コンセントの差込口に差し込まれて、前記収容部が前記壁に固定配置される場合に、前記収容部は、前記壁に押し付けられるとともに、前記電気コンセントを覆い隠すことを特徴とする請求項１に記載のコンセントユニット。
【請求項３】
前記収容部は、前記電気コンセントのカバーを取り外すことによって前記壁に固定配置可能であることを特徴とする請求項１又は２に記載のコンセントユニット。
【請求項４】
前記コンセント部は、電力供給を遮断すべき異常を検知可能に設けられ、前記異常を検知した場合に、外部から差し込まれるプラグへの電力供給を遮断することを特徴とする請求項１から３のいずれかに記載のコンセントユニット。
【請求項５】
前記コンセント部にはアース用の接地極が設けられるとともに、前記プラグ部には、前記接地極に電気的に接続されるアース端子が含まれることを特徴とする請求項１から４のいずれかに記載のコンセントユニット。
【請求項６】
前記アース端子は、前記収容部から突出した状態となる第１の姿勢と、前記第１の姿勢から折り畳まれて前記収容部に収容された状態となる第２の姿勢と、に切り替え可能に設けられていることを特徴とする請求項５に記載のコンセントユニット。
【請求項７】
前記アース端子を前記第１の姿勢から前記第２の姿勢へと自動的に復帰させる復帰手段を更に備えることを特徴とする請求項６に記載のコンセントユニット。
【請求項８】
前記アース端子が前記第２の姿勢とされる場合に使用されるネジ式アース端子を更に備えることを特徴とする請求項６又は７に記載のコンセントユニット。
【請求項９】
前記プラグ部は、前記収容部に対してスライド移動可能に取り付けられていることを特徴とする請求項１から８のいずれかに記載のコンセントユニット。
【請求項１０】
前記収容部は、前記壁にネジを用いて固定され、
前記収容部には、前記ネジが挿通される貫通穴が形成され、
前記貫通孔は、長穴形状となっていることを特徴とする請求項１から８のいずれかに記載のコンセントユニット。
【請求項１１】
前記収容部内には、
蓄電手段と、
前記コンセント部が外部への電力供給を遮断したことを検出する停電検出手段と、
前記停電検出手段で停電を検出した場合に、前記蓄電手段で蓄電した電気を利用して発光する発光手段と、
が備えられることを特徴とする請求項１から１０のいずれかに記載のコンセントユニット。
【請求項１２】
前記収容部には、前記発光手段によって発光された光が通過する透明窓部が設けられることを特徴とする請求項１１に記載のコンセントユニット。
【発明の詳細な説明】
【技術分野】
【０００１】
本発明は、壁に埋め込み配置される既設の電気コンセントに後付けされるコンセントユニットに関する。
【背景技術】
【０００２】
従来、例えば地震による火災や配線火災等が発生することを防止する機能を備える、壁埋め込み型コンセントが知られている（例えば特許文献１や２、非特許文献１参照）。これらの壁埋め込み型のコンセントでは、地震や、コンセント内部の温度異常等が検知されると、差込口に差し込まれるプラグに電力が供給されなくなる。このために、例えば地震時や地震後に、電源が入った状態の電気製品（例えば電気ストーブ等）が原因となって火災が生じるといった事態の発生が防止される。また、電気コンセントに差し込んだプラグの周辺に埃や湿気等が付着することが原因となって発生する出火現象（トラッキング現象）に伴う火災（配線火災）が防止される。
【先行技術文献】
【特許文献】
【０００３】
【特許文献１】特開２０１１−１５９６１８号公報
【特許文献２】特開２００４−３０４９６４号公報
【非特許文献】
【０００４】
【非特許文献１】“出火防止コンセント「雅」の仕様書”、[online]、第一通商株式会社、[平成２４年２月２２日検索]、インターネット<URL:http://www.daiichitsusho.co.jp/specification/index.html>
【発明の概要】
【発明が解決しようとする課題】
【０００５】
ところで、例えば特許文献１や２、或いは、非特許文献１に開示されるようなコンセント（以下、防災コンセントと表現することがある）は壁埋め込み型のコンセントである。このような防災コンセントをオフィスや家庭等に導入する際には、特殊な資格（第２種電気工事士）を有する者が、既設のコンセントを防災コンセントに交換する工事を行う必要がある。すなわち、防災コンセントのオフィスや家庭等への導入は、誰もができるものではない。このような事情から、市場では、特殊な資格なしで、既設のコンセントに防災コンセントを追加装着できることが望まれていた。
【０００６】
この要望に対して、例えば図１９に示すように、既設の電気コンセント１００（壁埋め込み型のコンセント）に隣接するように、防災コンセント１０１を固定配置することが考えられる。防災コンセント１０１は、例えば樹脂性のホルダ１０２に保持された状態で壁Ｗに固定配置される。そして、防災コンセント１０１に取り付けられた差し込みプラグ１０３が電気コンセント１００の差込口１００ａに差し込まれることによって、防災コンセント１０１への電力供給が行われる。なお、既設の電気コンセント１００の使用しない側の差込口は、コンセントカバー１０４によって覆われて使用不可とするのが好ましい。
【０００７】
しかしながら、図１９に示すような構成の場合、差し込みプラグ１０３が差込口１００ａから簡単に外せる構造のために、プラグ１０３の半抜けによる発熱で火災が発生する可能性がある。また、差し込みプラグ１０３の周辺に埃や湿気等が付着して出火（トラッキング）を起す可能性がある。すなわち、図１９に示すような構成では、防災コンセント１０１を配置した意義が不十分となってしまうことが懸念される。
【０００８】
以上の点に鑑みて、本発明の目的は、既設の壁埋め込み型の電気コンセントに簡単に後付けできるとともに、既設の電気コンセントとの連結部においてトラッキング現象が発生し難いコンセントユニットを提供することである。また、本発明の他の目的は、市販の壁埋め込み型の防災コンセントを、既設の電気コンセントに簡単に後付け可能とするコンセントユニットを提供することである。
【課題を解決するための手段】
【０００９】
上記目的を達成するために本発明のコンセントユニットは、壁に埋め込み配置された電気コンセントに後付けされるコンセントユニットであって、前記電気コンセントの差込口に差し込まれるプラグ端子を有するプラグ部と、前記プラグ端子と電気的に接続されるとともに、外部から差し込まれるプラグの栓刃を挟持する刃受部を有するコンセント部と、前記プラグ部及び前記コンセント部を収容保持するとともに、前記壁に固定配置可能に設けられる収容部と、を備える構成（第１の構成）になっている。
【００１０】
本構成によれば、プラグ部及びコンセント部を収容保持する収容部が壁に固定配置できるために、プラグ端子（コンセントユニットが有する端子）の半抜けが発生する可能性を抑制できる。また、収容部を用いて、既設の電気コンセントを覆い隠すことも可能であり、コンセントユニットと既設の電気コンセントとの連結部に埃等が侵入することを阻止して、トラッキング現象の発生を抑制できる。この構成において、前記収容部は、前記壁にネジ止めによって固定される構成であってよい。
【００１１】
上記第１の構成のコンセントユニットにおいて、前記プラグ端子が前記電気コンセントの差込口に差し込まれて、前記収容部が前記壁に固定配置される場合に、前記収容部は、前記壁に押し付けられるとともに、前記電気コンセントを覆い隠す構成（第２の構成）であるのが好ましい。
【００１２】
本構成によれば、コンセントユニットが既設の電気コンセントに取り付けられる場合に、収容部が壁に押し付けられた状態で既設の電気コンセントを覆い隠す。このために、コンセントユニットと既設の電気コンセントとの連結部に埃等が侵入し難く、トラッキング現象が生じ難い。
【００１３】
上記第１又は第２の構成のコンセントユニットにおいて、前記収容部は、前記電気コンセントのカバーを取り外すことによって前記壁に固定配置可能である構成（第３の構成）であってよい。本構成によれば、既設の電気コンセントを付け替えるのではなく、既設の電気コンセントのカバーを取り外すだけでコンセント（例えば防災コンセント）を後付けできるので便利である。また、本構成によれば、収容部が固定されるために、例えば、プラグ端子（コンセントユニットが有する端子）が半抜けを起して火災が発生するといった事態を防止できる。
【００１４】
上記第１から第３のいずれかの構成のコンセントユニットにおいて、前記コンセント部は、電力供給を遮断すべき異常を検知可能に設けられ、前記異常を検知した場合に、外部から差し込まれるプラグへの電力供給を遮断する構成（第４の構成）であるのが好ましい。
【００１５】
このようなコンセント部は、従来、壁埋め込み型のコンセントとして、市場で手に入れることが可能である。本構成のコンセントユニットによれば、市販の壁埋め込み型の防災コンセントを、特殊な資格を有さなくても、既設の電気コンセントに簡単に後付け可能となる。そして、交換ではなく後付けされる構成であるにもかかわらず、上述のようにトラッキング現象が発生し難いために、ユーザが安心して使用できる。
【００１６】
上記第１から第４のいずれかの構成のコンセントユニットにおいて、前記コンセント部にはアース用の接地極が設けられるとともに、前記プラグ部には、前記接地極に電気的に接続されるアース端子が含まれる構成（第５の構成）であるのが好ましい。本構成によれば、ユーザの安全性が向上できる。
【００１７】
上記第５の構成のコンセントユニットにおいて、前記アース端子は、前記収容部から突出した状態となる第１の姿勢と、前記第１の姿勢から折り畳まれて前記収容部に収容された状態となる第２の姿勢と、に切り替え可能に設けられている構成（第６の構成）であるのが好ましい。本構成によれば、多種多様に設けられる既設の電気コンセントに対する対応が図り易い。例えば、既設の電気コンセントに接地極が設けられていない場合には、アース端子を折り畳んで使用し、既設の電気コンセントに接地極が設けられている場合には、アース端子を起立させて使用するといったことができる。
【００１８】
上記第６の構成のコンセントユニットにおいて、前記アース端子を前記第１の姿勢から前記第２の姿勢へと自動的に復帰させる復帰手段を更に備える構成（第７の構成）が採用されてもよい。本構成によれば、既設の電気コンセントに接地極（アース用の差し込み穴）が設けられているにも関わらず、アース端の差し込みを忘れるといった事態が発生することを防止できる。
【００１９】
上記第６又は第７の構成のコンセントユニットにおいては、前記アース端子が前記第２の姿勢とされる場合に使用されるネジ式アース端子を更に備える構成（第８の構成）であるのが好ましい。本構成によれば、多種多様に設けられる既設の電気コンセントに対する対応が図り易い。
【００２０】
上記第１から第８のいずれかの構成のコンセントユニットにおいて、前記プラグ部は、前記収容部に対してスライド移動可能に取り付けられている構成（第９の構成）であってもよい。本構成によれば、多種多様に設けられる既設の電気コンセントに対する対応が図り易い。
【００２１】
上記第１から第８のいずれかの構成のコンセントユニットにおいて、前記収容部は、前記壁にネジを用いて固定され、前記収容部には、前記ネジが挿通される貫通穴が形成され、前記貫通孔は、長穴形状となっている構成（第１０の構成）が採用されてもよい。本構成によれば、既設の電気コンセントが設けられる壁にコンセントユニットを後付けするに際して、長穴を利用して、収容部の壁に対する取り付け位置をスライドさせることが可能である。このために、本構成によれば、多種多様に設けられる既設の電気コンセントに対する対応が図り易い。
【００２２】
上記第１から第１０のいずれかの構成のコンセントユニットにおいて、前記収容部内には、蓄電手段と、前記コンセント部が外部への電力供給を遮断したことを検出する停電検出手段と、前記停電検出手段で停電を検出した場合に、前記蓄電手段で蓄電した電気を利用して発光する発光手段と、が備えられる構成（第１１の構成）が採用されてもよい。本構成によれば、例えば地震等によって停電が発生した場合に、コンセントユニットに設けられる発光手段が発光する。このために、地震等の発生時に、コンセントユニットが設けられる部屋が真っ暗になるという事態を避けられる。
【００２３】
上記第１１の構成のコンセントユニットにおいて、前記収容部には、前記発光手段によって発光された光が通過する透明窓部が設けられる構成（第１２の構成）が採用されてよい。本構成は、収容部を構成する材質の光透過性が低い場合に有効である。
【発明の効果】
【００２４】
本発明によれば、既設の壁埋め込み型の電気コンセントに簡単に後付けできるとともに、既設の電気コンセントとの連結部においてトラッキング現象が発生し難いコンセントユニットを提供できる。また、本発明によれば、市販の壁埋め込み型の防災コンセントを、既設の電気コンセントに簡単に後付け可能になる。
【図面の簡単な説明】
【００２５】
【図１】本発明の第１実施形態に係るコンセントユニットの外観構成を示す概略斜視図
【図２】本発明の第１実施形態に係るコンセントユニットの概略断面図
【図３】本発明の第１実施形態に係るコンセントユニットの概略分解斜視図
【図４】第１実施形態のコンセントユニットのコンセントボックスにプラグ部が収容された状態を示す概略斜視図
【図５】第１実施形態のコンセントユニットのコンセントボックスにコンセント部が収容された状態を示す概略斜視図
【図６】第１実施形態のコンセントユニットを既設の電気コンセントに後付けする手順の一例を説明するための概略図
【図７】既設の電気コンセントに複数の種類があることを説明するための模式図
【図８】第１実施形態のコンセントユニットの変形例を説明するための図で、特にプラグ部の構成を示す概略斜視図
【図９】第１実施形態のコンセントユニットの変形例を説明するための図で、プラグ部のスライド移動について説明するため概略平面図
【図１０】本発明の第２実施形態に係るコンセントユニットの外観構成を示す概略斜視図
【図１１】本発明の第２実施形態に係るコンセントユニットの概略分解斜視図
【図１２】本発明の第２実施形態に係るコンセントユニットを後面（背面）側から見た場合の概略斜視図
【図１３】本発明の第２実施形態に係るコンセントユニットの概略斜視図であり、ネジ式アース端子について説明するための図
【図１４】本発明の第３実施形態に係るコンセントユニットを後面（背面）側から見た場合の概略斜視図
【図１５】本発明の第３実施形態に係るコンセントユニットが備えるアース端子の保持構造を説明するための説明図（概略斜視図）
【図１６】図１５（ａ）のＡ−Ａ位置における概略断面図
【図１７】本発明の第４実施形態に係るコンセントユニットの構成を示す概略斜視図
【図１８】本発明の第４実施形態に係るコンセントユニットが備える停電時点灯機能を実現する回路ブロック例を示す図
【図１９】本発明に至る前段階の創作について説明するための模式図
【発明を実施するための形態】
【００２６】
以下、本発明の実施形態に係るコンセントユニットについて、図面を参照しながら詳細に説明する。
【００２７】
＜第１実施形態＞
図１は、本発明の第１実施形態に係るコンセントユニット１の外観構成を示す概略斜視図である。図２は、本発明の第１実施形態に係るコンセントユニット１の概略断面図である。図３は、本発明の第１実施形態に係るコンセントユニット１の概略分解斜視図である。
【００２８】
図１〜図３に示すように、コンセントユニット１はコンセント部１０を備えている。コンセント部１０には、外部からプラグを差し込むための差込口１１が設けられている。差込口１１の内部には、外部から差し込まれるプラグの栓刃を挟持する刃受部１２（本発明の刃受部の一例）が設けられている。なお、コンセント部１０は、外部プラグを差し込むための差込箇所（差込口１１）が２箇所に設けられる構成となっているが、差込箇所の数は適宜変更されてよい。また、接地極１３の有無は適宜変更されてよい。
【００２９】
コンセント部１０は、その内部に電力供給を遮断すべき異常を検知する異常検知部（不図示）を備える。そして、異常検知部が異常を検知した場合には、スイッチ部（不図示）の作動によって、差込口１１に差し込まれるプラグに対する電力の供給が遮断される。すなわち、異常が検知された場合には、差込口１１に電気製品のプラグが差し込まれていても、電気製品には電力が供給されなくなる。異常検知部としては、例えば地震センサ、温度センサ、電流センサ等が挙げられる。
【００３０】
このようなコンセント部１０として、例えば市販の出火防止コンセント（非特許文献１参照）が利用できるが、他のタイプの防災コンセントが適用されても構わない。また、市販の出火防止コンセントには複数のタイプが存在するが、いずれのタイプが使用されてもよい。ここでは、地震火災対策、誘導雷の機器破損防止対策、通電火災対策（停電後の再送電時においても電力供給の遮断が継続されるもの）、及び、配線火災対策が施された市販の出火防止コンセントが利用される場合を例に、以下の説明が行われる。
【００３１】
図２及び図３に示すように、コンセントユニット１はプラグ部２０を備える。プラグ部２０は、一対のプラグ端子２１（本発明のプラグ端子の一例）と、アース端子２２（本発明のアース端子の一例）とを備える。一対のプラグ端子２１及びアース端子２２は、いずれも平面視略Ｌ字状に設けられる。ただし、プラグ端子２１とアース端子２２では、Ｌ字の配置の仕方が異なる。
【００３２】
プラグ端子２１及びアース端子２２は、いずれも、Ｌ字の両端部が露出するように端子保持体２３に保持されている。プラグ端子２１及びアース端子２２は、例えば銅等の導電性の良い金属で形成され、端子保持体２３は、絶縁性の樹脂で形成される。プラグ部２０は、例えばインサート成形によって形成できる。
【００３３】
なお、プラグ端子２１の一端側は、後述するように、既設の電気コンセントの差込口に差し込まれる。プラグ端子２１の他端側は、接続端子２４（図３参照）を介して、コンセント部１０が備える栓刃１２と電気的に接続される（詳細には、コンセント部１０が備える電力遮断機能が発揮されていない状態を想定している）。アース端子２２の一端側は、後述するように、既設の電気コンセントの接地極に接続される。アース端子２２の他端側は、接続端子２５を介して、コンセント部１０が備える接地極１３に電気的に接続される。
【００３４】
図１〜図３に示すように、コンセントユニット１は、コンセント部１０及びプラグ部２０を収容保持する収容部３０（本発明の収容部の一例）を備える。この収容部３０は、コンセントボックス３１と、コンセントカバー３２と、を有する。コンセントボックス３１は、外形が略直方体形状の箱型に設けられ、例えばＡＢＳ樹脂やＰＰＥ樹脂等の絶縁性の樹脂で形成される。コンセントカバー３２は、コンセントボックス３１の蓋の役割を果たし、その外形は、コンセントボックス３１の形状に対応した形状とされる。コンセントカバー３２も、例えばＡＢＳ樹脂やＰＰＥ樹脂等の絶縁性の樹脂で形成される。
【００３５】
コンセントボックス３１の前面側には、大きな開口３１ａが設けられている（図３参照）。そして、コンセント部１０及びプラグ部２０は、この開口３１ａを利用して、プラグ部２０、コンセント部１０の順で、コンセントボックス３１内に収容される。
【００３６】
図４は、第１実施形態のコンセントユニット１のコンセントボックス３１にプラグ部２０が収容された状態を示す概略斜視図である。図２から図４に示すように、コンセントボックス３１の後面（背面）側には壁部３１ｂが形成されている。プラグ部２０は、この壁部３１ｂに取り付けられる。なお、壁部３１ｂの中央部近傍には開口３１ｃが形成されており（図２及び図４参照）、プラグ端子２１の一端、及び、アース端子２２の一端は、この開口３１ｃを介してコンセントボックス３１から突出する（図２参照）。
【００３７】
コンセントボックス３１の壁部３１ｂには、上述の接続端子２４（プラグ端子２１と刃受部１２との電気的な接続を可能とする端子）がネジ２６及びナット２７を用いて固定配置される。また、コンセントボックス３１の壁部３１ｂには、上述の接続端子２５（アース端子２２と接地極１３との電気的な接続を可能とする端子）がネジ２８及びナット２９を用いて固定配置される。
【００３８】
図５は、第１実施形態のコンセントユニット１のコンセントボックス３１に、コンセント部１０が収容された状態を示す概略斜視図である。本実施形態においては、例えば図３や図５に示すように、コンセント部１０の長手方向の両端部（上面部及び下面部）には、コンセント部１０をコンセントボックス３１に固定するための固定金具１４が取り付けられている。この固定金具１４に設けられる貫通孔１４ａにネジ１５を差し込み、このネジ１５をコンセントボックス３１の前面側に設けられるネジ止め部３１ｄ（上下２箇所設けられる）に固定することによって、コンセント部１０はコンセントボックス３１に固定される。
【００３９】
なお、本実施形態では、コンセント部１０のコンセントボックス３１への固定を、ネジ止めによって達成しているが、ネジ止め以外の方法が採用されてもよい。他の方法の一例として、後述の第２実施形態で示す方法が採用できる。
【００４０】
コンセント部１０及びプラグ部２０がコンセントボックス３１に収容された後、コンセントボックス３１の前面側にコンセントカバー３２が取り付けられる。コンセントカバー３２には開口３２ａが形成されている（図３参照）。これにより、コンセントボックス３１に収容保持されたコンセント部１０の前面側（差込口１１が設けられる側）の大部分は、外部に露出する（図１参照）。
【００４１】
このように構成されるコンセントユニット１は、オフィスや家庭の壁に設けられる既設の電気コンセント（壁埋め込み型の電気コンセント）に容易に後付けできる。以下、コンセントユニット１を既設の電気コンセントに後付けする手順の一例について、図６を参照しながら説明する。
【００４２】
コンセントユニット１を既設の電気コンセント４０に後付けするにあたって、まず、図６（ａ）に示すように、既設の電気コンセント４０の表カバー４１が取り外される。次に、図６（ｂ）に示すように、ネジ４３（例えばφ３．５ｍｍ）によって壁Ｗに固定されている樹脂枠４２が、ネジ４３を緩めることによって取り外される。なお、本例では、樹脂枠４２は、上下２箇所がネジ４３によって壁Ｗに固定されている。
【００４３】
次に、図６（ｃ）に示すように、コンセントユニット１のコンセントカバー３２を外した状態とする。そして、まず、プラグ部２０のプラグ端子２１及びアース端子２２を既設の電気コンセント４０の差込口（接地極含む）に差し込む。なお、図６（ｃ）中に示される丸破線内の図は、コンセントユニット１と既設の電気コンセント４０との位置関係を理解しやすくする目的で示された概略断面図である。図６（ｃ）から理解されるように、本例では、既設の電気コンセント４０には、差込口が上下２箇所に設けられるが、上側の差込口のみが利用され、下側の差込口は利用されない。
【００４４】
プラグ端子２１及びアース端子２２が既設の電気コンセント４０の差込口に差し込まれると、先に取り外したネジ４３（詳細には、壁Ｗに設けられるネジ穴も）を利用して、コンセントユニット１を壁Ｗに固定する。例えば図３〜図５に示すように、コンセントボックス３１の上部及び下部には、ネジ４３を挿通するための貫通孔３１ｅが形成されている。ネジ４３は、この貫通孔３１ｅに差し込まれた上で壁Ｗに固定される。
【００４５】
ネジ４３による固定が完了すると、図６（ｄ）に示すように、コンセントカバー３２がコンセントボックス３１に取り付けられる。これにより、コンセントユニット１の、既設の電気コンセント４０への後付けが完了する。以上のように、第１実施形態のコンセントユニット１は、出火防止対策が施されたコンセント部１０を、既設の電気コンセント４０に容易に（コンセントの交換工事を行うことなく）後付けできるので非常に便利である。
【００４６】
後付けされたコンセントユニット１は、収容部３０（コンセントボックス３１及びコンセントカバー３２）で、既設の電気コンセント４０を覆い隠す。その上、収容部３０（コンセントボックス３１）は、壁Ｗに押し付けられた状態で壁Ｗに固定配置され、コンセントボックス３１と壁Ｗとの間には、ほぼ隙間がない。このために、既設の電気コンセント４０部分には埃等が侵入し難く、この部分おいては、トラッキング現象が発生し難い。更に、コンセントユニット１は、ネジ止めによって壁Ｗに固定配置されているために、プラグ端子２１が既設の電気コンセント４０から半抜けするといった事態が起こり難い。
【００４７】
ところで、オフィスや家庭等に設けられる既設の電気コンセント４０には、図７に示すように、接地極４５が設けられない構成のもの（符号４０Ａ）と、接地極４５が設けられる構成のもの（符号４０Ｂ）とがある。このために、コンセントユニット１は、プラグ部２０のアース端子２２が折り畳み可能に設けられるのが好ましい。このように構成することで、既設の電気コンセント４０に接地極４５が有るか無いかで、コンセントユニット１の構成を変更する必要性をなくせる（或いは低減できる）。その他、例えば、プラグ部２０の構成として、アース端子２２を有するものと、有さないものとを準備することも可能である。アース端子２２が折り畳める構成のプラグ部を採用する場合や、アース端子２２を有さないプラグ部を採用する場合、コンセントユニット１には、アース結線用のネジ式アース端子を別途設けるようにすればよい。
【００４８】
なお、アース端子２１を折り畳み可能とする場合の構成の一例は、後述の第２実施形態によって明らかになる。
【００４９】
また、図７に示すように、既設の電気コンセント４０の上部から差込口４４の中央部までの距離が、電気コンセント４０の種類によって違う場合がある。例えば、接地極４５の無い電気コンセント４０Ａは、接地極４５が有る電気コンセント４０Ｂに比べて、上部から差込口４４の中央部までの距離が、或る長さｄ（例えば６ｍｍ等）だけ長い場合がある。このような場合を想定して、プラグ部２０は、コンセントボックス３１に対してスライド移動可能に設けられるのが好ましい。このように構成することで、差込口４４の位置の差によって、コンセントユニット１の構成を変更する必要性をなくせる（或いは低減できる）。
【００５０】
例えば、図８に示すように、プラグ部２０の端子保持体２３の対向する２つの側面には、溝部２３ａが形成される。なお、溝部２３ａは、プラグ部２０をスライド移動させる方向に延びるように設けられる。そして、コンセントボックス３１の後面側に設けられる壁部３１ｂには、溝部２３ａに係合するように、例えば断面視略コの字状に設けられるレール部３１ｆが形成される（図９参照）。レール部３１ｆは、壁部３１ｂに略矩形状に設けられる開口３１ｃ外縁のうち、上下方向に延びる２つの辺に沿って設けられる。
【００５１】
これにより、例えば、既設の電気コンセント４０Ｂ（図７参照）に対応する場合には、図９（ａ）に示すように、プラグ部２０を上に上げた位置で使用し、既設の電気コンセント４０Ａ（図７参照）に対応する場合には、図９（ｂ）に示すように、プラグ部２０を下に下げた位置で使用するといったことができる。なお、この例においては、アース端子２２と電気コンセント４０Ａとの干渉を回避すべく、アース端子２２は折り畳み可能とされることが想定されている。
【００５２】
このように、プラグ部２０がスライド移動する構成が採用される場合には、プラグ部２０の移動によってプラグ端子２１の他端と接続端子２４との接触が失われないように、接続端子２４を構成する必要がある。また、図９に示すように、プラグ部２０のスライド移動に伴ってアース端子２２の他端と、接続端子２５と接触が失われるといった事態が発生しにくいように、コンセントボックス３１の壁部３１ｂには、ガイド部３１ｇが設けられるのが好ましい。このガイド部３１ｇは、例えば壁部３１ｂと一体的に設けられる突起等とできる。
【００５３】
また、プラグ部２０がスライド移動する構成が採用される場合には、プラグ部２０の位置を位置決めできるように位置決め機構を設けるのが好ましい。位置決め機構は、例えば、溝部２３ａとレール部３１ｆとのうちのいずれか一方にノッチ（窪み）を設け、他方にノッチと係合する突起を設けるといった構成にできる。この構成では、プラグ部２０のスライド移動が阻害されないように、ノッチの深さは浅めに（突起の突出量は小さめに）設けるのが好ましい。
【００５４】
＜第２実施形態＞
次に、第２実施形態のコンセントユニットについて説明する。図１０は、本発明の第２実施形態に係るコンセントユニット２の外観構成を示す概略斜視図である。図１１は、本発明の第２実施形態に係るコンセントユニット２の概略分解斜視図である。図１２は、本発明の第２実施形態に係るコンセントユニット２を後面（背面）側から見た場合の概略斜視図である。図１２（ａ）と図１２（ｂ）とでは、後述の内容から明らかとなるように、アース端子６２の姿勢が異なる。
【００５５】
図１０及び図１１に示すように、コンセントユニット２は、コンセント部５０を備えている。コンセント部５０には、外部からプラグを差し込むための差込口５１が設けられている。差込口５１の内部には、外部から差し込まれるプラグの栓刃を挟持する刃受部５２（本発明の刃受部の一例）が設けられている。なお、コンセント部５０は、外部プラグを差し込むための差込箇所（差込口５１）が２箇所に設けられる構成となっているが、差込箇所の数は適宜変更されてよい。また、接地極５３の有無は適宜変更されてよい。
【００５６】
コンセント部５０として、第１実施形態と同様に、例えば市販の出火防止コンセント（非特許文献１参照）が利用できるが、他のタイプの防災コンセント（例えば地震やトラッキング等の異常を検知して外部への電力供給を遮断するコンセント）等が適用されても構わない。また、第１実施形態の場合と同様に、市販の出火防止コンセントには複数のタイプが存在するが、いずれのタイプが使用されてもよい。ここでは、誘導雷の機器破損防止対策及び配線火災対策（或いは配線火災対策のみ）が施された市販の出火防止コンセント（第１実施形態の場合と異なるタイプ）が利用される場合を例に、以下の説明が行われる。
【００５７】
図１１に示すように、コンセントユニット２はプラグ部６０を備える。プラグ部６０は、一対のプラグ端子６１（本発明のプラグ端子の一例）と、アース端子６２（本発明のアース端子の一例）とを備える。一対のプラグ端子６１は、例えば銅等の導電性の良い金属で形成され、いずれも平面視略Ｌ字状に設けられる。アース端子６２は、例えば銅等の導電性の良い金属で形成され、棒状に設けられる。アース端子６２は、その片方の端部側が樹脂製の回転部６３に保持される。アース端子６２と回転部６３とは、例えばインサート成形によって一体成形され、その形状は平面視略Ｔ字状とされる。詳細には、アース端子６２の回転部６３で保持される側の端部は、回転部６３から突出して露出している。
【００５８】
なお、プラグ端子６１の一端側は、第１実施形態の場合と同様に、既設の電気コンセントの差込口に差し込まれる。プラグ端子６１の他端側は、丸端子付き単線６４を介して、コンセント部５０が備える栓刃５２と電気的に接続される（詳細には、コンセント部５０が備える電力遮断機能が発揮されていない状態を想定している）。アース端子６２の回転部６３から大きく突出する側は、既設の電気コンセントの接地極に接続するために使用される。アース端子６２の回転部６３から少しだけ突出する側は、アース用板バネ６５、及び、丸端子付き単線６６を介して、コンセント部５０が備える接地極５３に電気的に接続される。
【００５９】
図１０〜図１２に示すように、コンセントユニット２は、コンセント部５０及びプラグ部６０を収容保持する収容部７０（本発明の収容部の一例）を備える。この収容部７０は、コンセントボックス７１と、コンセントカバー７２と、を有する。コンセントボックス７１は、外形が略直方体形状の箱型に設けられ、例えばＡＢＳ樹脂やＰＰＥ樹脂等の絶縁性の樹脂で形成される。コンセントカバー７２は、コンセントボックス７１の蓋の役割を果たし、その外形は、コンセントボックス７１の形状に対応した形状とされる。コンセントカバー７２も、例えばＡＢＳ樹脂やＰＰＥ樹脂等の絶縁性の樹脂で形成される。
【００６０】
コンセントボックス７１の前面側には、大きな開口７１ａが設けられている（図１１参照）。そして、コンセント部５０及びプラグ部６０は、この開口７１ａを利用して、プラグ部６０、コンセント部５０の順で、コンセントボックス７１内に収容される。
【００６１】
図１１及び図１２に示すように、コンセントボックス７１の後面（背面）側には壁部７１１が形成されている。この壁部７１１には、平面視略矩形状の、一対のプラグ端子用開口７１１ａが形成されている。一対のプラグ端子６１は、それぞれ、プラグ端子用開口７１１ａから、その一端側が外部に突出するように配置されたうえで、コンセントボックス７１内に取り付けられる。プラグ端子６１は、丸端子付き単線６４とともに、ネジ６７を用いてコンセントボックス７１に固定される。丸端子付き単線６４は、丸端子が設けられる側の端部がプラグ端子６１とともにネジ止めされ、他端側がコンセント部５０に結線される。
【００６２】
また、壁部７１１には、平面視略Ｈ字状（Ｈを横に向けた形状）のアース用開口７１１ｂが形成されている。回転部６３と一体形成されるアース端子６２は、回転部６３がコンセントボックス７１内に回転可能に取り付けられることによって、コンセントボックス７１に折り畳み可能に取り付けられる。回転部６３の回転機構は、例えば、回転部６３の両端部に設けられる支軸６３ａ（図１１参照）を、コンセントボックス７１内に設けられる軸受（不図示）に嵌め込む構成によって得られる。
【００６３】
図１２（ａ）は、アース端子６２が壁部７１１から外部へと突出する姿勢（本発明の第１の姿勢に該当）であり、アース端子６２を既設の電気コンセントに差し込む場合は、この姿勢（起立姿勢）が採用される。図１２（ｂ）は、アース端子６２が壁部７１１から突出しないように折り畳まれた姿勢（本発明の第２の姿勢に該当）であり、既設の電気コンセントに接地極が設けられておらず、アース端子６２の差し込みができない場合には、この姿勢（折り畳み姿勢）が採用される。
【００６４】
アース用板バネ６５は、丸端子付き単線６６とともに、ネジ６８を用いてコンセントボックス７１に固定される。丸端子付き単線６６は、丸端子が設けられる側の端部がアース用板バネ６５とともにネジ止めされ、他端側がコンセント部５０に結線される。アース用板バネ６５は、アース端子６２が上述の起立姿勢である場合に、アース端子６２の端部（既設のコンセントに差し込まれない側の端部）と接触するように設けられている。
【００６５】
なお、アース用板バネ６５の端部には、ネジ６９とともにネジ式アース端子を形成する端子部６５ａが設けられている。図１３に示すように、コンセントユニット２が既設のコンセント（壁埋め込み型のコンセント）に後付けされた場合に下側となる面には、切り欠き７１ｂが設けられている。この切り欠き７１ｂによって、ネジ６９と端子部６５ａで形成されるネジ式アース端子８０が外面に露出する。なお、図１３は、本発明の第２実施形態に係るコンセントユニット２の概略斜視図であり、ネジ式アース端子８０について説明するための図である。
【００６６】
図１１に示すように、コンセント部５０は、コンセントホルダ５５に保持された状態で、コンセントボックス７１に取り付けられる。コンセントホルダ５５は、額縁状に設けられて、その開口部に嵌め込まれるコンセント部５０を保持する。コンセントホルダ５５には、爪受部５５ａが設けられている。爪受部５５ａは、コンセントボックス７１の上側に２つ、下側に２つ、の計４箇所に設けられる爪部７１２と係合するように、その数、位置が決定されている。すなわち、コンセントホルダ５５に保持されるコンセント部５０は、コンセントボックス７１の爪部７１２とコンセントホルダ５５の爪受部５５ａとの係合を利用して、コンセントボックス７１に固定配置される。
【００６７】
なお、本実施形態においても、第１実施形態と同様に、コンセントホルダ５５を用いることなく、コンセント部５０がコンセントボックス７１に取り付けられてもよい。この場合、固定金具等の留め具が適宜利用されてもよいし、コンセントボックス７１の形状の工夫によって対応してもよい。また、当然ながら、第１実施形態の構成に対して、コンセントホルダが使用される構成が適用されても構わない。
【００６８】
コンセント部５０及びプラグ部６０がコンセントボックス７１に収容された後、コンセントボックス７１の前面側にコンセントカバー７２が取り付けられる。コンセントカバー７２には開口７２ａが形成されている（図１１参照）。これにより、コンセントボックス７１に収容保持されたコンセント部５０の前面側（差込口５１が設けられる側）の大部分は、外部に露出する（図１０参照）。
【００６９】
このように構成されるコンセントユニット２は、オフィスや家庭の壁に設けられる既設の電気コンセント（壁埋め込み型の電気コンセント）に容易に後付けできる。この場合の取り付け手順は、第１実施形態のコンセントユニット１と同様にできるために、その詳細は省略する。
【００７０】
第２実施形態のコンセントユニット２は、出火防止対策が施されたコンセント部５０を、既設の電気コンセント（家庭やオフィスに設けられるコンセント）に容易に（コンセントの交換工事を行うことなく）後付けできるので非常に便利である。そして、後付けされたコンセントユニット２は、収容部７０（コンセントボックス７１及びコンセントカバー７２）で、既設の電気コンセントを覆い隠す。その上、収容部７０（コンセントボックス７１）は、壁に押し付けられた状態で壁に固定配置され、コンセントボックス７１と壁Ｗとの間には、ほぼ隙間がない。このために、既設の電気コンセントの部分には埃等が侵入し難く、この部分おいては、トラッキング現象が発生し難い。また、コンセントユニット２は、ネジ止めによって壁に固定配置されるために、プラグ端子６１が既設の電気コンセントから半抜けするといった事態が起こり難い。
【００７１】
更に、第２実施形態のコンセントユニット２は、アース端子６２が折り畳み可能である。このために、既設の電気コンセントに接地極（アース用の差し込み穴）が設けられていない場合には、コンセントユニット２は、アース端子６２を折り畳んで使用できる。コンセントユニット２には、ネジ式アース端子８０（図１３参照）が設けられる。このため、アース端子６２が折り畳まれる場合には、このネジ式アース端子８０の利用により、アース用の結線ができる。
【００７２】
なお、上述のように、既設の電気コンセントには、その上部から差込口の中央部までの距離が異なるものがある（図７参照）。このような種類差に対応できるように、第２実施形態のコンセントユニット２では、コンセントボックス７１を壁（オフィス等の壁）に固定する際にネジ（例えばφ３．５ｍｍのネジ）が挿通される貫通穴７１１ｃ（ネジ止めに使用される穴；図１２参照）について、長穴形状を採用している。この構成が採用される場合、コンセントボックス７１の壁に対する位置が上下（スライド）された場合でも、既設の電気コンセントが外部に露出しないように、コンセントボックス７１の大きさは調整する必要がある。
【００７３】
＜第３実施形態＞
次に、第３実施形態のコンセントユニットについて説明する。第３実施形態のコンセントユニットは、第２実施形態のコンセントユニット２の変形例であり、その大部分は第２実施形態の構成と同様である。以下、機能が重複する部分については、多少の設計変更を無視して、第２の実施形態の場合と同一の符号を付して説明する。また、機能が重複する部分については、特に説明の必要がない場合には、その説明は省略する。
【００７４】
図１４は、本発明の第３実施形態に係るコンセントユニット３を後面（背面）側から見た場合の概略斜視図である。なお、図１４（ａ）は、アース端子６２が起立姿勢（本発明の第１の姿勢が該当）である場合の図であり、図１４（ｂ）は、アース端子６２が折り畳み姿勢（本発明の第２の姿勢が該当）である場合の図である。起立姿勢では、アース端子６２は、コンセントボックス７１の壁部７１１から外部に向かって突出する（収容部７０から突出する）。また、折り畳み姿勢では、アース端子６２は、壁部７１１に設けられるアース用開口７１１ｂ（長穴）を利用して収容部７０（コンセントボックス７１）内に収容される。
【００７５】
第３実施形態においては、第２実施形態の場合と違って、折り畳み姿勢とされたアース端子６２は、それに付与される外部からの力（例えば人の手や壁から加えられる力）が解除されると、自動的に起立姿勢に復帰する構成になっている。これについて、図１５及び図１６を参照しながら説明する。なお、図１５は、本発明の第３実施形態に係るコンセントユニット３が備えるアース端子６２の保持構造を説明するための説明図（概略斜視図）である。図１５（ａ）と図１５（ｂ）とでは、見る角度が異なっている。図１６は、図１５（ａ）のＡ−Ａ位置における概略断面図である。
【００７６】
図１６に示されるように、アース端子６２は、回転部６３にネジ８２を用いて固着されている。なお、場合によっては、アース端子６２と回転部６３とは一体的に設けられても構わない。回転部６３は、例えば銅等の導電性の金属部材で形成できる。図１５及び図１６に示されるように、回転部６３には、支軸６３ａ（例えば金属ピン）が固着されている。支軸６３ａには、ねじりコイルバネ８１のコイル部分が遊嵌されており、回転部６３の内部には、ねじりコイルバネ８１が存在する。
【００７７】
アース用板バネ６２（第２実施形態の場合と同様にコンセントボックス７１内に固定配置される）の上部には、回転部６３を四方向から取り囲むように設けられる、断面視逆Ｕ字状のアース端子取付部６５ｂが形成されている。回転部６３に固着される支軸６３ａは、アース端子取付部６５ｂを構成する２つの側壁（対向配置される側壁）に、回転可能に支持されている。このために、アース端子６２は、アース用板バネ６５に対して回転可能であり、図１４（ａ）に示す起立姿勢と、図１４（ｂ）に示す折り畳み姿勢との切り替えが行える。
【００７８】
回転部６３の内部に配置されるねじりコイルバネ８１は、その一方端がアース用板バネ６５に当接し、その他方端が回転部６３に当接した状態で固定されている。ねじりコイルバネ８１は、回転部６３に対して、支軸６３ａを中心とした回転方向の付勢力を与える。更に詳細には、ねじりコイルバネ８１の回転部６３に対する付勢方向は、アース端子６２が折り畳み姿勢から起立姿勢となる方向になっている。このために、アース端子６２に外部から力が加えられていない場合には、アース端子６２は起立姿勢となる。換言すると、折り畳み姿勢とされたアース端子６２は、外部からの力が解除されると、ねじりコイルバネ８１の作用によって、自動的に起立姿勢へと復帰する。なお、ねじりコイルバネ８１は、本発明の復帰手段の一例である。復帰手段は、ねじりコイルバネ８１に限らず、他の種類のバネ部材やゴム部材等によって構成してもよい。
【００７９】
図１４から図１６に示されるように、アース端子取付部６５ｂの内面、３箇所（上面に１箇所、対向する２つの側面のそれぞれに１箇所）には凸部６５ｃが形成されている。この凸部６５ｃは、起立姿勢になったアース端子６２がアース用板バネ６５に確実に接触するように設けられている。
【００８０】
第３実施形態のコンセントユニット３は、第２実施形態のコンセントユニット２の機能に、折り畳み姿勢とされたアース端子６２が起立姿勢に自動復帰する機能が加えられた構成になっている。この追加の機能のために、第３実施形態のコンセントユニット３では、既設の電気コンセントに接地極（アース用の差し込み穴）が設けられているにも関わらず、アース端子６２の差し込みを忘れるといった事態が発生することを防止できる。
【００８１】
＜第４実施形態＞
次に、第４実施形態のコンセントユニットについて説明する。第４実施形態のコンセントユニットは、停電時に発光部が点灯する機能を備える。この停電時点灯機能は、第１から第３実施形態のコンセントユニット１〜３のいずれにも適用可能であるが、ここでは、第１実施形態のコンセントユニット１に、停電時点灯機能が追加された場合を例に説明する。
【００８２】
図１７は、本発明の第４実施形態に係るコンセントユニット４の構成を示す概略斜視図である。図１７に示すように、第４実施形態のコンセントユニット４は、その下部側側面部に、透明樹脂で構成される透明窓部３３を備える。透明窓部３３は、例えば、コンセントボックス３１の下部側側面部に開口を形成し、この開口を塞ぐように透明樹脂板を固定配置することによって得られる。透明窓部３３は、コンセントユニット４内に設けられる発光部（その詳細は後述する）で発光された光を広い範囲に伝達できるように、光散乱機能を備えるのが好ましい。具体例を挙げると、透明窓部３３は、例えばダイヤカット加工されているのが好ましい。なお、コンセントボックス３１が透明樹脂で形成される場合には、透明窓部３３は設けなくてもよい。また、透明窓部３３が設けられる位置は、本実施形態の位置に限定される趣旨ではなく、適宜変更して構わない。
【００８３】
図１８は、本発明の第４実施形態に係るコンセントユニット４が備える停電時点灯機能を実現する回路ブロック例を示す図である。コンセント部１０は、上述のように、異常検知部によって異常（例えば地震等）が検知された場合に、差込口１１に差し込まれるプラグに対する電力供給を遮断する。停電検出部９１は、この電力供給の遮断（停電）を検出する回路である。停電検出回路９１は、停電を検出すると、ランプ点灯信号を後述のスイッチ部９４に出力する。
【００８４】
コンバータ部９２は、コンセント部１０が異常を検知していない状態において、コンセント部１０から交流（ＡＣ）電力の供給を受け、交流を直流（ＤＣ）に変換するとともに、電圧値を後述の蓄電部９３に対応した値に降圧する回路である。蓄電部９３は、例えばスーパキャパシタ等のコンデンサ、或いは、蓄電池を備える。蓄電部９３は、コンセント部１０が異常を検知していない状態において、電力の供給を受けて蓄電を行う。なお、蓄電部９３は、満充電容量以下の所定の蓄電量となった時点で、蓄電動作が停止される構成とするのが好ましい。
【００８５】
スイッチ部９４は、停電検出部９１からランプ点灯信号が入力された場合に、ＯＮ状態となり、ランプ点灯信号が入力されていない状態ではＯＦＦ状態となるスイッチ回路である。スイッチ部９４がＯＮ状態になると、蓄電部９３に蓄電された電力が発光部９５に供給される。発光部９５は、例えばＬＥＤ（Light Emitting Diode）を用いて構成されるが、ＬＥＤ以外の照明部材が使用されてもよい。発光部９５を構成するＬＥＤの数は１つでも良いが、より明るく照らす目的で複数としてもよい。
【００８６】
停電検出部９１、コンバータ部９２、蓄電部９３、スイッチ部９４、及び、発光部９５は、回路基板９０上に形成される。本実施形態では、スペースの都合で、図１７に示すように、回路基板９０は、分割された２つの回路基板９０ａ、９０ｂで構成しているが、回路基板９０の構成は、スペース等の都合で適宜変更されて構わない。なお、図１７では、回路基板９０ａ、９０ｂは、収容部３０内に配置されるために破線で示されている。本実施形態では、発光部９５以外は、コンセント部１０の側面位置に配置される回路基板９０ａに設けられ、発光部９５は、コンセント部１０の下部側に配置される回路基板９０ｂに設けられている。回路基板９０ｂ上に設けられるＬＥＤは、透明窓部３３に対向配置されるのが好ましい。
【００８７】
コンセントユニット４が既設の電気コンセントに取り付けられると、蓄電部９３おいて蓄電が行われる。蓄電部９３が備えるスーパキャパシタ等の特性に左右されるものであるが、例えば、１０分程度で蓄電部９３に所望の電気が蓄えられる。地震等が発生することにより、コンセント部１０から外部に電力が供給されなくなると（停電が生じると）、停電検出回路９１からのランプ点灯信号によってスイッチ部９４がＯＮ状態になる。これにより、蓄電部９３に蓄えられえた電気量に応じた時間（例えば１〜数分程度）だけ、発光部９５が点灯する。したがって、停電発生時に、コンセントユニット４が備えられた部屋内が真っ暗になる事態が避けられる。発光部９５の点灯時間には限度があるが、この間に、部屋内に居る人は、何らかの対処動作を行うことが可能であり、便利である。
【００８８】
なお、コンセントユニット４のコンセント部１０の電力供給遮断状態が解除されると、停電検出部９１が停電を検出しない状態になってランプ点灯信号が出力されないので、スイッチ部９４はオフ状態になる。このために、コンセント部１０の電力供給遮断状態が解除されると、発光部９５は無点灯状態になる。
【００８９】
＜その他＞
以上に示した第１から第４実施形態は本発明の例示であり、本発明の適用範囲は、以上に示した実施形態の構成に限定されるものではない。本発明の技術思想を超えない範囲で、以上に示した実施形態は、適宜変形されて構わない。
【００９０】
オフィスや家庭に設けられる既設のコンセントは、部屋の側壁ばかりではなく、場合によっては床（部屋の底壁）や天井（部屋の上壁）に取り付けられる場合がある。本発明のコンセントユニットは、床や天井に取り付けられてもよい。そのような点から、本発明における壁は、床や天井を構成する壁も含む趣旨である。
【００９１】
また、場合によっては、コンセント部は防災機能を有していなくても構わない。
【符号の説明】
【００９２】
１、２、３、４  コンセントユニット
１０、５０  コンセント部
１２、５２  刃受部
１３、５３  接地極
２０、６０  プラグ部
２１、６１  プラグ端子
２２、６２  アース端子
３０、７０  収容部
３１、７１  コンセントボックス（収容部の一部）
３２、７２  コンセントカバー（収容部の一部）
３３  透明窓部
４０  既設の電気コンセント
４１  表カバー（電気コンセントのカバー）
４４  差込口（電気コンセントの差込口）
８０  ネジ式アース端子
８１  ねじりコイルバネ（復帰手段）
９１  停電検出部（停電検出手段）
９３  蓄電部（蓄電手段）
９５  発光部（発光手段）
７１１ｃ  貫通穴（長穴形状の貫通穴）
Ｗ  壁
【図１】
2013214488.tif 000003
【図２】
2013214488.tif 000004
【図３】
2013214488.tif 000005
【図４】
2013214488.tif 000006
【図５】
2013214488.tif 000007
【図６】
2013214488.tif 000008
【図７】
2013214488.tif 000009
【図８】
2013214488.tif 000010
【図９】
2013214488.tif 000011
【図１０】
2013214488.tif 000012
【図１１】
2013214488.tif 000013
【図１２】
2013214488.tif 000014
【図１３】
2013214488.tif 000015
【図１４】
2013214488.tif 000016
【図１５】
2013214488.tif 000017
【図１６】
2013214488.tif 000018
【図１７】
2013214488.tif 000019
【図１８】
2013214488.tif 000020
【図１９】
2013214488.tif 000021